(57)【要約】【課題】コストを抑制しながら、水上工事の作業区域を静穏に保つ。【解決手段】仮設式波除堤１０は、水上工事の作業区域ＷＡの沖側に施工中に設置され、施工完了後に撤去される浮体構造のものであり、沖側に向けて配置される正面壁１４を含み内部に水Ｗが注水される、平面視矩形の無蓋箱状をなす貯水部１２を備えている。このため、沖側から到来する波浪を正面壁１４により受け、これによって仮設式波除堤１０が動揺し、貯水部１２内の水Ｗも振動することになるが、同調液体ダンパーの原理を利用してスロッシングを制御し、仮設式波除堤１０の動揺を抑制することで、作業区域ＷＡに伝わる波浪を低減することができる。これにより、作業区域ＷＡを静穏に保つことが可能となり、水上工事の安全性と施工精度とを向上することができる。更に、複数の水上工事で繰り返し使用することができ、単純な構造であるため、コストを抑制することができる。【選択図】図２
2019132082.tif 000002
【特許請求の範囲】
【請求項１】
水上工事の作業区域の沖側に施工中に設置され、施工完了後に撤去される浮体構造の仮設式波除堤であって、
沖側に向けて配置される正面壁を含む、無蓋箱状をなす貯水部を備え、
該仮設式波除堤の設置時に、前記貯水部の内部には水が注水され、撤去時には内部から水が排水されるものであることを特徴とする仮設式波除堤。
【請求項２】
前記貯水部は、前記正面壁と平行な後面壁、及び、前記正面壁と前記後面壁とを接続する一対の側壁を含む、平面視矩形の無蓋箱状をなすものであることを特徴とする請求項１記載の仮設式波除堤。
【請求項３】
前記貯水部に注水される水の水位が、設置時における、少なくとも前記作業区域の周辺の波浪条件に基づいて設定されることを特徴とする請求項１又は２記載の仮設式波除堤。
【請求項４】
前記貯水部の底面から前記正面壁と平行に延びる、少なくとも１枚の突出板を備えることを特徴とする請求項１から３のいずれか１項記載の仮設式波除堤。
【請求項５】
前記突出板として、前記正面壁が前記貯水部の底面よりも下方へ延ばされるようにして形成された前方突出板と、該前方突出板から沖側と反対方向に間隔を空けた位置に形成された後方突出板と、を含むことを特徴とする請求項４記載の仮設式波除堤。
【請求項６】
請求項１から５のいずれか１項記載の仮設式波除堤が、平面視で前記正面壁がその延在方向に連なるように隣接して、複数設置されて構成されることを特徴とする連接型仮設式波除堤。
【発明の詳細な説明】
【技術分野】
【０００１】
本発明は、水上工事の作業区域の沖側に施工中に設置され、施工完了後に撤去される浮体構造の仮設式波除堤及び連接型仮設式波除堤に関するものである。
【背景技術】
【０００２】
水上工事では、常に波浪が影響することにより、例えば、浮遊状態の躯体や作業台船等が動揺するため、施工精度が大きく低下する懸念があり、又、作業員の安全により注意を払う必要がある。このため、従来は、水上工事を行うか否かの指標となる施工限界の波浪条件を予め設定し、水上工事の現場周辺の波浪予測と施工限界の波浪条件とを比較して、作業可否を判断すると共に、適切な能力を有する作業船等を使用することで、安全かつ高精度な施工を実現していた。一方、特許文献１及び特許文献２には、浮体式の防波堤について開示されており、これらの防波堤は、沖側から到来する波浪の影響を低減し、防波堤の内側（岸側）を静穏にする目的で設置されるものである。
【先行技術文献】
【特許文献】
【０００３】
【特許文献１】特開平７−２１６８４５号公報
【特許文献２】特開平８−９２９３９号公報
【発明の概要】
【発明が解決しようとする課題】
【０００４】
ここで、上述した施工限界の波浪条件を設定する方法では、施工実施の可否判断が波浪予測の精度に依存するため、作業可と判断した場合に予測以上の波浪が到来すると、作業の中断を余儀なくされ、手戻りや工程の遅延が生じる。又、予想以上の動揺により、施工精度の低下や、作業員の安全性への影響が懸念される。他方、上記の特許文献に記載された浮体式の防波堤を利用することを検討すると、これらの防波堤は規模が大きく、複数の水上工事で繰り返し利用することは、実質的に困難である。このため、水上工事毎に防波堤を作製及び設置する必要があり、コストの上昇が懸念される。更に、構造が複雑であることから、作製費用も嵩んでしまう。
【０００５】
本発明は上記課題に鑑みてなされたものであり、その目的とするところは、コストを抑制しながら、水上工事の作業区域を静穏に保つことにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）水上工事の作業区域の沖側に施工中に設置され、施工完了後に撤去される浮体構造の仮設式波除堤であって、沖側に向けて配置される正面壁を含む、無蓋箱状をなす貯水部を備え、該仮設式波除堤の設置時に、前記貯水部の内部には水が注水され、撤去時には内部から水が排水されるものである仮設式波除堤（請求項１）。
【０００８】
本項に記載の仮設式波除堤は、水上工事の施工中に、作業区域の沖側に浮かべて設置される浮体構造のものであり、無蓋箱状をなし、設置時にはその内部に水が注水される貯水部を備えている。この貯水部は、箱状を構成する壁部として、沖側に向けて配置される正面壁を含んでいる。すなわち、貯水部の正面壁が沖側を向くように設置されることで、沖側から到来する波浪を正面壁により受け、岸側へ伝わる波浪エネルギーを低減するものである。このとき、波浪の作用によって仮設式波除堤が動揺し、貯水部内の水も振動することになるが、同調液体ダンパーの原理を利用してスロッシングを制御し、仮設式波除堤の動揺を抑制することで、作業区域に伝わる波浪を低減する。これにより、作業区域に向かって施工限界に近い波浪が到来する場合でも、仮設式波除堤を介して作業区域に到達する波浪のエネルギーが減衰されるため、作業区域が静穏に保たれることになる。従って、水上工事の作業の安全性と施工精度とが向上されるものである。又、作業区域に向かって予測以上の波浪が到来する場合でも、作業区域内の静穏度が一定の範囲内に保たれることになるため、安全性が確保されると共に、施工精度の低下が防止されるものとなる。
【０００９】
更に、本項に記載の仮設式波除堤は、施工中に作業区域の沖側に設置され、施工完了後に設置場所から撤去されるものであり、必要に応じて使用及び保管されるものである。すなわち、例えば、未使用時には陸地に近い場所に係留されて保管され、使用時には設置場所まで水上を曳航されて設置され、施工完了後には保管場所まで曳航されて、次の使用時まで再び保管されるものである。これにより、複数の水上工事の現場において、繰り返し使用されるものとなるため、複数の水上工事毎に波除堤を作製する必要がなく、コストが抑制される。更に、上述したような貯水部を備えた単純な構造のものであるため、作製が容易であると共に部材費が抑えられ、これによってもコストが抑制される。又、本項に記載の仮設式波除堤は、少なくとも曳航時には貯水部から水が排水されることで、重量が低下するため、曳航作業が容易になる。更に、繰り返しになるが、無蓋箱状をなす貯水部を備えた単純な構造であるため、貯水部からの水の注排水作業が容易であり、加えて、設置作業や曳航作業等の取り回しも容易なものである。
【００１０】
（２）上記（１）項において、前記貯水部は、前記正面壁と平行な後面壁、及び、前記正面壁と前記後面壁とを接続する一対の側壁を含む、平面視矩形の無蓋箱状をなすものである仮設式波除堤（請求項２）。
本項に記載の仮設式波除堤は、貯水部が平面視矩形の無蓋箱状をなすものであり、正面壁に加えて、正面壁と平行な後面壁と、正面壁と後面壁とを接続する一対の側壁とを含むものである。このように、貯水部がより単純な構造を有することで、作製費や部材費の更なる抑制や、取り回しの更なる容易化を図るものである。
【００１１】
（３）上記（１）（２）項において、前記貯水部に注水される水の水位が、設置時における、少なくとも前記作業区域の周辺の波浪条件に基づいて設定される仮設式波除堤（請求項３）。
本項に記載の仮設式波除堤は、貯水部に注水される水の水位が、設置時における、少なくとも作業区域の周辺の波浪条件に基づいて設定されるものである。波浪条件には、例えば波の周期や波高等が含まれ、作業区域周辺で実測或いは予測されたそのような波浪条件に基づいて、貯水部内の水の水位が設定される。このように設定された水位の水が貯水部に注水されることで、波浪条件に応じて貯水部内の水のスロッシングが制御されるため、仮設式波除堤自体の動揺がより効率よく抑制される。これにより、仮設式波除堤の沖側から岸側へと伝達する波浪エネルギーが低減され、仮設式波除堤の岸側に位置する作業区域が、より静穏に保たれるものである。更に、任意の波浪条件に応じて、波浪エネルギーが効率的に減衰する水位が設定されることから、波浪条件が異なる様々な作業区域に対応するものとなる。
【００１２】
（４）上記（１）から（３）項において、前記貯水部の底面から前記正面壁と平行に延びる、少なくとも１枚の突出板を備える仮設式波除堤（請求項４）
本項に記載の仮設式波除堤は、貯水部の底面から正面壁と平行に延びる、少なくとも１枚の突出板を備えるものである。すなわち、この突出板は、仮設式波除堤が設置された状態で、水中において沖側に面するように配置されることになる。これにより、沖側から到来する波浪を、正面壁だけでなく突出板によっても受けるため、波浪エネルギーがより効率よく低減されるものである。更に、突出板が貯水部の底面から下方へ延びていることで、仮設式波除堤のバランスが向上して動揺が抑制されるため、これによっても波浪エネルギーが低減されることになる。
【００１３】
（５）上記（４）項において、前記突出板として、前記正面壁が前記貯水部の底面よりも下方へ延ばされるようにして形成された前方突出板と、該前方突出板から沖側と反対方向に間隔を空けた位置に形成された後方突出板と、を含む仮設式波除堤（請求項５）。
本項に記載の仮設式波除堤は、突出板として、前方突出板と後方突出板との２枚の突出板を含むものである。前方突出板は、貯水部の正面壁が、貯水部の底面よりも下方へ延ばされるようにして形成されたものであり、後方突出板は、前方突出板から沖側と反対方向（岸側の方向）に間隔を空けた位置に、貯水部の底面から延びるように形成されたものである。これにより、正面壁から前方突出板にわたる広い面積の部位によって、沖側から到来する波浪を受けることになるため、波浪エネルギーが効率よく低減される。更に、水中で前方突出板と後方突出板との間に入り込む水は、側方側及び水底側から出入りが自由である一方、前方突出板側と後方突出板側からの出入りが制限されるため、沖側から岸側へ波浪エネルギーが伝わり難くなる。これにより、波浪エネルギーがより一層低減されるものである。
【００１４】
（６）上記（１）から（５）のいずれか１項記載の仮設式波除堤が、平面視で前記正面壁がその延在方向に連なるように隣接して、複数設置されて構成されることを特徴とする連接型仮設式波除堤（請求項６）。
本項に記載の連接型仮設式波除堤は、上記（１）から（５）のいずれか１項記載の仮設式波除堤が、複数設置されて構成されるものであり、この際、複数の仮設式波除堤は、平面視で正面壁がその延在方向に連なるように、隣接して配置される。隣接する仮設式波除堤同士は、接続される必要はなく、互いに衝突しない程度の間隔を空けて、作業区域の沖側を囲うように設置される。これにより、様々な大きさの作業区域に対応して、複数の仮設式波除堤の内側（岸側）が静穏に保たれることとなり、水上工事の作業の安全性と施工精度とが向上されるものである。なお、連接型仮設式波除堤を構成する複数の仮設式波除堤は、必ずしも直線状に並べられる必要はなく、作業区域の平面視形状に合わせて、作業区域の沖側を囲うように、隣接する仮設式波除堤間に角度差が生じて設置されてもよい。
【発明の効果】
【００１５】
本発明は上記のような構成であるため、コストを抑制しながら、水上工事の作業区域を静穏に保つことが可能となる。
【図面の簡単な説明】
【００１６】
【図１】本発明の実施の形態に係る仮設式波除堤の斜視図である。
【図２】図１の仮設式波除堤の設置状態を示すイメージ図である。
【図３】図１の仮設式波除堤を設置した場合の、波浪エネルギーが減衰する様子を示すイメージ図である。
【図４】図１の仮設式波除堤を設置した場合の、沖側の水位変動と岸側の水位変動とを比較したグラフである。
【図５】本発明の実施の形態に係る仮設式波除堤の、図１と形状が異なる実施例を示すイメージ図である。
【図６】本発明の実施の形態に係る連接型仮設式波除堤の設置例を示す概略的な平面図である。
【発明を実施するための形態】
【００１７】
以下、本発明を実施するための形態を、添付図面に基づき説明する。なお、図面の全体にわたって、同一部分又は対応する部分は、同一符号で示している。
図１は、本発明の実施の形態に係る仮設式波除堤１０の構造の一例を示している。仮設式波除堤１０は、水上に設置される浮体構造のものであり、図示のように、平面視矩形の無蓋箱状をなす貯水部１２と、貯水部１２の底面１２ａから下方へ延びる突出板２０とを含んでいる。貯水部１２は、正面壁１４と、この正面壁１４と平行な後面壁１６と、正面壁１４と後面壁１６とを接続する一対の側壁１８とによって、四方を囲う壁部が形成されている。
【００１８】
又、本実施例では、前方突出板２０Ａと後方突出板２０Ｂとの、２枚の突出板２０が形成されている。前方突出板２０Ａは、底面１２ａの図中左側の縁から下方へ延びており、正面壁１４をそのまま下方へ延ばすようにして形成されている。後方突出板２０Ｂは、底面１２ａの図中右側の縁から下方へ延びており、後面壁１６をそのまま下方へ延ばすようにして形成されている。仮設式波除堤１０は、これに限定されるものではないが、例えば鋼材によって形成される。又、仮設式波除堤１０の大きさは、一例を挙げると、図中左右方向の幅が５〜１５ｍ程度、図中奥行方向（正面壁１４及び後面壁１６の延在方向）の長さが２０ｍ程度、図中上下方向の長さが２０ｍ程度、突出板２０の図中上下方向の長さが１２ｍ程度であるが、これらに限定されるものではない。
【００１９】
次に、図２には、水上に設置された状態の仮設式波除堤１０を示している。なお、図２（及び後述する図３並びに図５）では、便宜上、図中左側を沖側とし、図中右側を岸側として図示している。図示のように、仮設式波除堤１０は、貯水部１２を構成する正面壁１４が沖側へ向くような配置で、例えばアンカー付きの係留索やチェーン等の係留手段３０によって、水底Ｂに係止されることで、水上工事の作業区域ＷＡの沖側に設置される。又、仮設式波除堤１０は、設置時において、貯水部１２の内部に水Ｗが注水されており、この状態で、突出板２０の全体と貯水部１２の一部とが水中に沈みこむようにして、水上に浮かべられている。
【００２０】
水Ｗの貯水部１２内での水位は、例えば、設置時における、作業区域ＷＡ周辺の波浪条件（波の周期や波高等）に基づいて設定される。しかしながら、それとは別のパラメータを利用して、水Ｗの水位を設定してもよい。又、水Ｗの水位は、例えば、作業区域ＷＡ周辺の波浪条件が大きく変動した場合等の、必要に応じたタイミングで、適宜、調整することとしてもよい。水Ｗの注水は、作業船に搭載されたポンプや、仮設式波除堤１０に一時的に設置されるポンプ等が利用されて、仮設式波除堤１０の周囲の水が、貯水部１２の内部に汲み上げられることで行われる。これとは逆に、水Ｗを排水する際には、貯水部１２の内部からポンプで汲み上げて、仮設式波除堤１０の周囲に排水すればよい。
【００２１】
ここで、本願の発明者らは、図２のように設置された状態の仮設式波除堤１０に対して、沖側から波浪が到来する場合のシミュレーションを行っており、図３には、シミュレーション中の波浪と仮設式波除堤１０との動向を示しており、図４には、シミュレーション結果から得られた、沖側の水位変動と岸側の水位変動とを比較したグラフを示している。なお、このシミュレーションでは、波浪が全く発生していない状態から始まり、徐々に大きくなる波浪が発生するようにしている。
【００２２】
まず、図３を確認すると、図３（ａ）では、波浪が発生した比較的初期の状態を示しており、仮設式波除堤１０の沖側（図中左側）で水面が僅かに動揺し、貯水部１２内の水Ｗが僅かに揺らいでいることが分かる。図３（ｂ）では、波浪が比較的大きくなった状態を示しており、仮設式波除堤１０の沖側で水面が隆起すると共に、仮設式波除堤１０の岸側でも水面が揺らいでいる。そして、これに伴い、仮設式波除堤１０が僅かに右側へ傾き、貯水部１２内の水Ｗが動揺していることが分かる。更に、図３（ｃ）では、引き続き大きな波浪が到来し、仮設式波除堤１０の沖側で水面が沈降すると共に、仮設式波除堤１０の岸側で水面が僅かに隆起している。そして、これに伴い、仮設式波除堤１０が僅かに左側へ傾き、貯水部１２内の水Ｗが動揺していることが確認できる。
【００２３】
次に、図４のグラフは、縦軸が水位変動を示し、横軸が時刻を示している。又、凡例欄に符号ＷＧ１及びＷＧ２で示されているデータが、仮設式波除堤１０の沖側の水位を示し、符号ＷＧ３及びＷＧ４で示されているデータが、仮設式波除堤１０の岸側の水位を示している。このため、各データグラフの上下間の大きさが波高を示すことになる。このグラフから、岸側の水位ＷＧ３及びＷＧ４から確認できる伝達波高は、沖側の水位ＷＧ１及びＷＧ２から確認できる入射波高よりも、大きさが小さくなっていることが分かる。なお、図４では、沖側から到来して仮設式波除堤１０に反射された波の影響を除外するために、沖側の水位ＷＧ１及びＷＧ２については、反射波の影響が出始めるタイミングよりも前のデータを示している。
【００２４】
続いて、図５には、本発明の実施の形態に係る仮設式波除堤１０の、図１〜図３に示した実施例と形状が異なる実施例を示している。図５（ａ）に示す仮設式波除堤１０は、水Ｗが注水された無蓋箱状の貯水部１２と、１枚の突出板２０とを含むものであり、突出板２０が、貯水部１２の底面１２ａの、図中左右方向の中央から下方へ延びている。又、図５（ｂ）に示す仮設式波除堤１０は、水Ｗが注水された無蓋箱状の貯水部１２のみを備えたものである。このように、本発明の実施の形態に係る仮設式波除堤１０は、突出板２０の枚数が限定されず、１枚や３枚以上であってもよく、突出板２０を備えていなくてもよいものである。
【００２５】
一方、図５（ｃ）に示す仮設式波除堤１０は、無蓋箱状の貯水部１２と２枚の突出板２０とを含み、貯水部１２が二重底構造になっており、貯水部１２の内部に２段構造で水Ｗが注水されているものである。他方、図５（ｄ）に示す仮設式波除堤１０は、無蓋箱状の貯水部１２と２枚の突出板２０とを含み、貯水部１２の内部を図中左側と右側とに隔てる衝立が設けられ、衝立で隔てられた貯水部１２の内部の夫々に水Ｗが注水されているものである。このように、本発明の実施の形態に係る仮設式波除堤１０は、貯水部１２の内部が、複数の空間に分けられていてもよいものである。なお、上述した何れの形状の実施例であっても、仮設式波除堤１０の岸側への伝達波高が、沖側からの入射波高よりも小さくなることが、本願の発明者らによって確認されている。
【００２６】
次に、図６には、上述した仮設式波除堤１０が複数設置されて構成される、本発明の実施の形態に係る連接型仮設式波除堤５０を示している。図示のように、連接型仮設式波除堤５０は、複数の仮設式波除堤１０、本実施例では５つの仮設式波除堤１０が、各々の側壁１８側に隣接して円弧状に並べられた状態で、水上工事の作業区域ＷＡの沖側（図中左側）に設置されている。なお、「連接型」と称しているが、隣接する仮設式波除堤１０の間は特に接続されておらず、互いに衝突しない程度の間隔が空くように、仮設式波除堤１０の各々が、図２に示したような係留手段３０を用いて係留されることにより、複数の仮設式波除堤１０が、連続的に隣接する態様で設置されるものである。
【００２７】
さて、上記構成をなす本発明の実施の形態によれば、次のような作用効果を得ることが可能である。すなわち、本発明の実施の形態に係る仮設式波除堤１０は、図２に示すように、水上工事の施工中に、作業区域ＷＡの沖側（図中左側）に浮かべて設置される浮体構造のものである。そして、図１及び図５に示すように、平面視矩形の無蓋箱状をなし、設置時にはその内部に水Ｗが注水される貯水部１２を備えている。この貯水部１２は、箱状を構成する壁部として、沖側に向けて配置される正面壁１４と、正面壁１４と平行な後面壁１６と、正面壁１４と後面壁１６とを接続する一対の側壁１８とを含んでいる。すなわち、貯水部１２の正面壁１４が沖側を向くように設置されることで、沖側から到来する波浪を正面壁１４により受け、岸側へ伝わる波浪エネルギーを低減するものである。
【００２８】
このとき、波浪の作用によって仮設式波除堤１０が動揺し、貯水部１２内の水Ｗも振動することになるが、同調液体ダンパーの原理を利用してスロッシングを制御し、仮設式波除堤１０の動揺を抑制することで、作業区域ＷＡに伝わる波浪を低減することができる。これにより、作業区域ＷＡに向かって施工限界に近い波浪が到来する場合でも、仮設式波除堤１０を介して作業区域ＷＡに到達する波浪のエネルギーが減衰されるため、作業区域ＷＡを静穏に保つことが可能となる。従って、水上工事の作業の安全性と施工精度とを向上させることができる。又、作業区域ＷＡに向かって予測以上の波浪が到来する場合でも、作業区域ＷＡ内の静穏度を一定の範囲内に保つことができるため、安全性を確保することができると共に、施工精度の低下を防止することが可能となる。
【００２９】
更に、本発明の実施の形態に係る仮設式波除堤１０は、施工中に作業区域ＷＡの沖側に設置され、施工完了後に設置場所から撤去されるものであり、必要に応じて使用及び保管されるものである。すなわち、例えば、未使用時には陸地に近い場所に係留されて保管され、使用時には設置場所まで水上を曳航されて設置され、施工完了後には保管場所まで曳航されて、次の使用時まで再び保管されるものである。これにより、複数の水上工事の現場において、繰り返し使用することができるため、複数の水上工事毎に波除堤を作製する必要がなく、コストを抑制することができる。更に、上述したような貯水部１２を備えた単純な構造のものであるため、作製が容易であると共に部材費を抑えることができ、これによってもコストを抑制することができる。又、本発明の実施の形態に係る仮設式波除堤１０は、少なくとも曳航時には貯水部１２から水Ｗが排水されることで、重量が低下するため、曳航作業の負担を軽減することができる。更に、繰り返しになるが、無蓋箱状をなす貯水部１２を備えた単純な構造であるため、貯水部１２からの水Ｗの注排水作業を容易に行うことができ、加えて、設置作業や曳航作業等の取り回しも容易なものである。
【００３０】
又、本発明の実施の形態に係る仮設式波除堤１０は、貯水部１２に注水される水Ｗの水位が、設置時における、少なくとも作業区域ＷＡの周辺の波浪条件に基づいて設定されるものである。波浪条件には、例えば波の周期や波高等が含まれ、作業区域ＷＡ周辺で実測或いは予測されたそのような波浪条件に基づいて、貯水部１２内の水Ｗの水位が設定される。このように設定された水位の水Ｗが貯水部１２に注水されることで、波浪条件に応じて貯水部１２内の水Ｗのスロッシングを制御することができるため、仮設式波除堤１０自体の動揺をより効率よく抑制することができる。これにより、仮設式波除堤１０の沖側から岸側へと伝達する波浪エネルギーを低減することが可能となり、仮設式波除堤１０の岸側に位置する作業区域ＷＡを、より静穏に保つことができる。更に、任意の波浪条件に応じて、波浪エネルギーを効率的に減衰させる水位を設定可能であることから、波浪条件が異なる様々な作業区域に対応することができる。
【００３１】
更に、本発明の実施の形態に係る仮設式波除堤１０は、図１、図２、及び図５（ａ）、（ｃ）、（ｄ）に示すように、貯水部１２の底面１２ａから正面壁１４と平行に延びる、換言すれば、下方及び側壁１８と直交する方向へ延在する、少なくとも１枚の突出板２０を備えるものである。すなわち、この突出板２０は、仮設式波除堤１０が設置された状態で、水中において沖側に面するように配置されることになる。これにより、沖側から到来する波浪を、正面壁１４だけでなく突出板２０によっても受けるため、波浪エネルギーをより効率よく低減することができる。更に、突出板２０が貯水部１２の底面１２ａから下方へ延びていることで、仮設式波除堤１０のバランスが向上して動揺が抑制されるため、これによっても波浪エネルギーを低減することができる。
【００３２】
加えて、本発明の実施の形態に係る仮設式波除堤１０は、図１、図２、及び図５（ｃ）、（ｄ）に示すように、突出板２０として、前方突出板２０Ａと後方突出板２０Ｂとの２枚の突出板２０を含んでもよいものである。前方突出板２０Ａは、貯水部１２の正面壁１４が、貯水部１２の底面１２ａよりも下方へ延ばされるようにして形成されたものである。後方突出板２０Ｂは、前方突出板２０Ａから沖側と反対方向（岸側の方向）に間隔を空けた位置に、貯水部１２の底面１２ａから延びるように、図示の例では、貯水部１２の後面壁１６が、貯水部１２の底面１２ａよりも下方へ延ばされるようにして形成されたものである。これにより、正面壁１４から前方突出板２０Ａにわたる広い面積の部位によって、沖側から到来する波浪を受けることができるため、波浪エネルギーを効率よく低減することができる。
【００３３】
更に、水中で前方突出板２０Ａと後方突出板２０Ｂとの間に入り込む水は、側壁１８側（図２及び図５における紙面と直交する方向）及び水底Ｂ側から出入りが自由である一方、前方突出板２０Ａ側と後方突出板２０Ｂ側からの出入りが制限されるため、沖側から岸側へ波浪エネルギーが伝わり難くなる。これにより、波浪エネルギーをより一層低減することが可能となる。ここで、図３及び図４には、図１及び図２に示した形状の仮設式波除堤１０を用いたシミュレーションについて示しており、これらが示す内容からも、仮設式波除堤１０の沖側から岸側へと伝わる波浪エネルギーが低減され、伝達波高が入射波高よりも小さくなっていることが確認できる。
【００３４】
なお、本発明の実施の形態に係る仮設式波除堤１０は、図１〜図３及び図５に示した形状に限定されるものではなく、沖側へ向けて配置される正面壁１４を含み、水を注排水可能な貯水部１２を備えたものであれば、他の形状であってもよいものである。例えば、仮設式波除堤１０は、貯水部１２の形状が平面視矩形に限定されるものではなく、異形ケーソンのような形状であってもよい。又、正面壁１２の上方端から連続して、上方側へ向かうにつれて後方側へと傾斜した斜面を備えると共に、その斜面に対応した高さまで後面壁１６と側壁１８とが上方に延ばされた、側面視で台形をなす上部斜面堤のような形状であってもよい。更に、前方突出板２０Ａや後方突出板２０Ｂに加え、一対の側壁１８の双方が下方へ延ばされるようにして、前方突出板２０Ａの側方側端部と後方突出板２０Ｂの側方側端部との間を接続する側方突出板が設けられていてもよい。
【００３５】
一方、本発明の実施の形態に係る連接型仮設式波除堤５０は、図６に示すように、上述したような仮設式波除堤１０が、平面視で正面壁１４がその延在方向に連なるように隣接して、すなわち、一対の側壁１８のうちの一方側或いは双方側に隣接して、複数設置されて構成されるものである。隣接する仮設式波除堤１０同士は、接続される必要はなく、互いに衝突しない程度の間隔を空けて、作業区域ＷＡの沖側（図中左側）を囲うように設置される。これにより、様々な大きさの作業区域ＷＡに対応して、複数の仮設式波除堤１０の内側（岸側）を静穏に保つことができ、水上工事の作業の安全性と施工精度とを向上させることができる。なお、連接型仮設式波除堤５０を構成する複数の仮設式波除堤１０は、作業区域ＷＡの平面視形状に合わせて、作業区域ＷＡの沖側を囲うように設置されていれば、図６の例のように、隣接する仮設式波除堤１０間に角度差が生じて設置されてもよく、或いは、直線状に並べられて設置されてもよい。
【符号の説明】
【００３６】
１０：仮設式波除堤、１２：貯水部、１２ａ：底面、１４：正面壁、１６：後面壁、１８：側壁、２０：突出板、２０Ａ：前方突出板、２０Ｂ：後方突出板、５０：連接型仮設式波除堤、Ｗ：水、ＷＡ：作業区域
【図１】
2019132082.tif 000003
【図２】
2019132082.tif 000004
【図３】
2019132082.tif 000005
【図４】
2019132082.tif 000006
【図５】
2019132082.tif 000007
【図６】
2019132082.tif 000008